(57)【要約】【課題】簡易な構成により、高い光学性能を維持しつつレンズ系の全長を短くして小型軽量化を有効に図ることができ、その上、環境温度が変化しても高い光学性能を適正に維持することができる撮像レンズを提供すること。【解決手段】物体側から、物体側および像面側の少なくとも一方の面が非球面とされた主たる正のパワーを持つガラス材料からなる第１レンズ２と、物体側および像面側の少なくとも一方の面が非球面とされた負のパワーを持つ樹脂材料からなる第２レンズ３と、物体側および像面側の少なくとも一方の面が非球面とされた正のパワーを持つ樹脂材料からなる第３レンズ４とを有し、第１レンズ２の物体側または第１レンズ２と第２レンズ３との間に絞り８が配設されている。【選択図】      図１
2005024823.tif 000002
【特許請求の範囲】
【請求項１】
物体側から像面側に向かって順に、物体側および像面側の少なくとも一方の面が非球面とされた主たる正のパワーを持つガラス材料からなる第１レンズと、物体側および像面側の少なくとも一方の面が非球面とされた負のパワーを持つ樹脂材料からなる第２レンズと、物体側および像面側の少なくとも一方の面が非球面とされた正のパワーを持つ樹脂材料からなる第３レンズとを有し、前記第１レンズの物体側または前記第１レンズと前記第２レンズとの間に絞りが配設されていることを特徴とする撮像レンズ。
【請求項２】
更に、次の（１）、（２）に示す各条件式、
０．８＜ｆ／ｆ１＜１．３                  （１）
０．７５＜｜ｆ２  ｜／ｆ３  ＜１．５          （２）
但し、ｆ  ：レンズ系全体の焦点距離
ｆ１：第１レンズの焦点距離
ｆ２：第２レンズの焦点距離
ｆ３：第３レンズの焦点距離
を満足することを特徴とする請求項１に記載の撮像レンズ。
【請求項３】
更に、次の（３）〜（５）に示す各条件式、
ν１  ＞５０      （３）
ν２  ＜４０      （４）
ν３  ＞５０      （５）
但し、ν１  ：第１レンズのアッベ数
ν２  ：第２レンズのアッベ数
ν３  ：第３レンズのアッベ数
を満足することを特徴とする請求項１または請求項２に記載の撮像レンズ。
【発明の詳細な説明】
【０００１】
【産業上の利用分野】
本発明は、撮像レンズに係り、特に、携帯型のコンピュータ、テレビ電話、携帯電話、デジタルカメラ等に搭載されるＣＣＤ、ＣＭＯＳ等の撮像素子を利用した撮像装置に用いられる３枚構成の撮像レンズに関する。
【０００２】
【従来の技術】
近年、マルチメディアの進展が著しく、携帯型のコンピュータ、テレビ電話、携帯電話、デジタルカメラ等に搭載されるＣＣＤ、ＣＭＯＳ等の撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズにも、同様に小型軽量であることが要求されており、このような撮像レンズとしては、従来から、１枚のレンズを用いた１枚構成のレンズ系や２枚のレンズを用いた２枚構成のレンズ系が用いられている。
【０００４】
しかしながら、これらのものは、レンズ系の小型軽量化には極めて有利であるものの、近年、撮像レンズに要求される高画質、高解像度化には充分対応できないという問題がある。
【０００５】
特に、最近においては、携帯電話等の分野において、従来のＣＩＦ（１１万画素程度）やＶＧＡ（３０万画素程度）を上回る１００万画素以上のさらなる高解像度の固体撮像素子を用いた撮像装置の需要が増々高まりつつあるが、このような高画質・高解像度の撮像装置に対しては、１枚構成あるいは２枚構成の撮像レンズではさらに不十分なものとなる。
【０００６】
そのため、従来から、３枚のレンズを用いた３枚構成のレンズ系を用い、これにより、高画質、高解像度化に対応することが行われている。
【０００７】
【特許文献１】
特開２００１−７５００６号公報
【特許文献２】
特開２００１−８３４０９号公報
【０００８】
【発明が解決しようとする課題】
ところで、カメラ付き携帯電話等には、簡易な固定焦点式の撮像レンズが鏡筒内に組み込まれた状態で搭載されているが、このような撮像レンズは、鏡筒内への組み込みの際に室温下で一旦フォーカス調整を行った後は、使用温度範囲内（例えば、−１０℃〜６０℃）における温度の変化にもかかわらず、再びフォーカス調整を必要としない程度の安定した光学性能が求められる。
【０００９】
なお、温度変化にともなうレンズの光学性能への影響としては、光学性能に大きく関与する一要素としての屈折率の変化が挙げられる。この屈折率の変化は、ｄｎ／ｄＴ（但し、ｄｎ：屈折率の変化、ｄＴ：温度変化）と表すことができる。
【００１０】
この他にも、光学性能に関与する重要な要素としては、レンズの形状の変化、例えば、中心曲率半径の変化ｒ（１＋αΔＴ）（但し、α：熱膨張率、ΔＴ：温度変化）、レンズの非球面式における非球面係数の変化Ａ（１−３αΔＴ）、Ｂ（１−５αΔＴ）（但し、Ａ：４次の項の係数、Ｂ：６次の項の係数）、レンズの中心厚もしくはレンズ間距離の変化ｄ（１＋αΔＴ）等が挙げられる。
【００１１】
したがって、温度変化にともなうレンズの光学性能への影響を少なくするためには、前述したレンズの光学性能に関与する各要素の温度依存性を充分に考慮した上でのレンズの設計が必要となる。
【００１２】
しかしながら、このような温度変化による光学性能への影響が少ない撮像レンズを、高解像度化および小型軽量化の要請に充分に応えつつ安価に実現することについては、未だ十分に有効な提案がなされていないというのが実情であった。
【００１３】
本発明は、このような点に鑑みなされたもので、簡易な構成により、高い光学性能を維持しつつレンズ系の全長を短くして小型軽量化を有効に図ることができ、その上、環境温度が変化しても高い光学性能を適正に維持することができる撮像レンズを提供することを目的とするものである。
【００１４】
【課題を解決するための手段】
前記目的を達成するため本発明の請求項１に係る撮像レンズの特徴は、物体側から像面側に向かって順に、物体側および像面側の少なくとも一方の面が非球面とされた主たる正のパワーを持つガラス材料からなる第１レンズと、物体側および像面側の少なくとも一方の面が非球面とされた負のパワーを持つ樹脂材料からなる第２レンズと、物体側および像面側の少なくとも一方の面が非球面とされた正のパワーを持つ樹脂材料からなる第３レンズとを有し、前記第１レンズの物体側または前記第１レンズと前記第２レンズとの間に絞りが配設されている点にある。
【００１５】
そして、この請求項１に係る発明によれば、第１レンズに主たるパワーを持たせるとともに、この第１レンズの近傍に絞りを配置することによって、撮像レンズの全長を有効に短縮化することが可能となる。
【００１６】
また、第１レンズを、樹脂材料に比べて屈折率の温度依存性が小さなガラス材料によって形成することにより、温度変化にともなう第１レンズのパワーへの影響を少なくすることができる。さらに、第２レンズと第３レンズとを、互いにパワーの符号が異なるレンズとし、且つ樹脂材料によって形成することにより、各々のレンズでは屈折率の温度依存性が大きいが、両レンズを組み合わせることによって互いのパワーの変化を相殺することができる。この結果、レンズ系全体としての屈折率の温度依存性を小さくすることが可能となるとともに、樹脂材料製のレンズを組み合わせることによって、撮像レンズの製造コストを安価にすることが可能となる。
【００１７】
さらに、３枚構成の非球面レンズによって、諸収差を良好に補正して高い光学性能を維持することが可能となる。
【００１８】
請求項２に係る撮像レンズの特徴は、請求項１において、更に、０．８＜ｆ／ｆ１＜１．３、０．７５＜｜ｆ２  ｜／ｆ３  ＜１．５（但し、ｆ  ：レンズ系全体の焦点距離、ｆ１：第１レンズの焦点距離、ｆ２：第２レンズの焦点距離、ｆ３：第３レンズの焦点距離）の各条件式を満足する点にある。
【００１９】
そして、この請求項２に係る発明によれば、更に、レンズ系の全長の短縮化と、光学性能の維持とをさらにバランス良く実現することが可能となる。
【００２０】
請求項３に係る撮像レンズの特徴は、請求項１または請求項２において、更に、ν１  ＞５０、ν２  ＜４０、ν３  ＞５０（但し、ν１  ：第１レンズのアッベ数、ν２  ：第２レンズのアッベ数、ν３  ：第３レンズのアッベ数）の各条件式を満足する点にある。
【００２１】
そして、この請求項３に係る発明によれば、更に、色収差をより良好に補正することが可能となる。
【００２２】
【発明の実施の形態】
以下、本発明に係る撮像レンズの実施形態について、図１を参照して説明する。
【００２３】
図１に示すように、本実施形態における撮像レンズ１は、物体側から像面側に向かって順に、物体側および像面側の少なくとも一方の面が非球面とされた主たる正のパワーを持つ第１レンズ２と、物体側および像面側の少なくとも一方の面が非球面とされた負のパワーを持つ第２レンズ３と、物体側および像面側の少なくとも一方の面が非球面とされた正のパワーを持つ第３レンズ４とを有している。第１レンズ２はガラス材料によって、第２、第３レンズ３，４は、樹脂材料（プラスチック）によってそれぞれ形成されている。
【００２４】
また、第１レンズ２の物体側または第１レンズ２と第２レンズ３との間には、絞り８が配設されている。
【００２５】
ここで、第１レンズ２、第２レンズ３、第３レンズ４における物体側の各レンズ面２ａ，３ａ，４ａを、それぞれ各レンズ２，３，４の第１面２ａ，３ａ，４ａと称し、像面側の各レンズ面２ｂ，３ｂ，４ｂを、それぞれ各レンズ２，３，４の第２面２ｂ，３ｂ，４ｂと称することとする。
【００２６】
各レンズ２，３，４は、フォーカス調整を経て筒状の鏡筒１０内に組み込まれている。
【００２７】
第３レンズ４の第２面４ｂ側には、カバーガラス、ＩＲカットフィルタ、ローパスフィルタ等の各種フィルタ５およびＣＣＤあるいはＣＭＯＳ等の撮像素子の受光面である撮像面６がそれぞれ配設されている。なお、各種フィルタ５は、必要に応じて省略することも可能である。
【００２８】
本実施形態においては、上記のように第１レンズ２に主たるパワーを持たせるとともに、この第１レンズ２の近傍に絞り８を配置することによって、レンズ系の全長を有効に短縮化することが可能となる。
【００２９】
また、第１レンズ２を、樹脂材料に比べて屈折率の温度依存性が小さいガラス材料によって形成することによって、温度変化による第１レンズ２のパワーへの影響を少なくすることができる。さらに、第２レンズ３と第３レンズ４とを、互いにパワーの符号の異なるレンズとし、また樹脂材料によって形成することで、各々のレンズ３，４においては屈折率の温度依存性が大きいものの、両レンズ３，４を組み合わせることによって、温度変化にとなう両レンズ３，４のパワーの変化を互いに相殺することができる。この結果、レンズ系全体としての屈折率の温度依存性を小さくすることが可能となる。
【００３０】
また、３枚構成のレンズ２，３，４の中に、樹脂材料製のレンズを組み合わせることによって、撮像レンズ１の製造コストを安価にすることが可能となる。
【００３１】
さらに、第１レンズ２、第２レンズ３および第３レンズ４をそれぞれ非球面レンズとすることによって、諸収差を良好に補正してさらに高い光学性能を維持しつつレンズ系の全長をさらに有効に短縮化することが可能となる。
【００３２】
上記の構成に加えて、本実施形態においては、更に、次の（１）、（２）に示す各条件式を満足するようにする。
【００３３】
０．８＜ｆ／ｆ１＜１．３                  （１）
０．７５＜｜ｆ２  ｜／ｆ３  ＜１．５          （２）
但し、（１）式において、ｆは、レンズ系全体の焦点距離、ｆ１  は、第１レンズ２の焦点距離であり、（２）式において、ｆ２  は、第２レンズ３の焦点距離、ｆ３  は、第３レンズ４の焦点距離である。
【００３４】
まず、上記（１）式については、ｆ／ｆ１  の値が（１）式に示す値（０．８）に満たない場合は、温度上昇とともにフィルタ５の第２面と撮像面６との間の光学距離である像面距離が増大し、温度がレンズの使用温度範囲の最大値である６０℃まで上昇すると、像面距離の移動量が正の許容値を上回ることによって像面距離が大きくなり過ぎてしまう。これにともなって、レンズ系の全長が長くなり過ぎてしまうこととなる。
【００３５】
なお、像面距離の移動量の許容値は、光軸９方向にＺ軸をとり、Ｚ軸に沿って物体側から像面側へ向かう方向を正とした場合、次式で表すことができる。
【００３６】
ΔＺ＝Ｆ×δ          （２の２）
但し、前式において、ΔＺは、許容値であり、Ｆは、Ｆナンバーであり、δは、撮像面６における許容錯乱円の直径である。この許容値は、撮像素子の性能によっても異なるが、メガピクセル以上の高解像度の撮像素子に対しては、±１０μｍ以内に収まることが望ましい。
【００３７】
また、ｆ／ｆ１  の値が（１）式に示す値（０．８）に満たない場合は、温度降下とともに像面距離が減少し、温度がレンズの使用温度範囲の最小値である−１０℃まで降下すると、像面距離の移動量が負の許容値を下回ることによって像面距離が小さくなり過ぎてしまいピントずれによる画像品質の低下が起こる。また、歪曲収差が大きくなって画像性能が劣化することとなる。
【００３８】
一方、ｆ／ｆ１  の値が（１）式に示す値（１．３）を超えて大きくなる場合は、温度上昇とともに像面距離が減少し、温度が６０℃まで上昇すると、像面距離の移動量が負の許容値を下回ることによって像面距離が小さくなり過ぎてしまい、ピントずれによる画像品質の低下が起こる。また、歪曲収差が大きくなって画像性能が劣化することとなる。また、ｆ／ｆ１  の値が（１）式に示す値（１．３）を超えて大きくなる場合は、温度降下とともに像面距離が増大し、温度が−１０℃まで降下すると、像面距離の移動量が正の許容値を上回ることによって像面距離が大きくなり過ぎてしまい、これにともなってレンズ系の全長が長くなり過ぎてしまうこととなる。
【００３９】
次に上記（２）式については、｜ｆ２  ｜／ｆ３  の値が（２）式に示す値（０．７５）に満たない場合は、温度上昇とともに像面距離が減少し、温度が６０℃まで上昇すると、像面距離の移動量が負の許容値を下回ることによって像面距離が小さくなり過ぎてしまい、ピントずれによる画像品質の低下が起こる。また、歪曲収差が大きくなって画像性能が劣化することとなる。また、｜ｆ２  ｜／ｆ３  の値が（２）式に示す値（０．７５）に満たない場合、温度降下とともに像面距離が増大し、温度が−１０℃まで降下すると、像面距離の移動量が正の許容値を上回ることによって像面距離が大きくなり過ぎてしまい、これにともなってレンズ系の全長が長くなり過ぎてしまうこととなる。
【００４０】
一方、｜ｆ２  ｜／ｆ３  の値が（２）式に示す値（１．５）を超えて大きくなる場合は、温度上昇とともに像面距離が増大し、温度が６０℃まで上昇すると、像面距離の移動量が正の許容値を上回ることによって像面距離が大きくなり過ぎてしまい、これにともなって、レンズ系の全長が長くなり過ぎてしまうこととなる。
【００４１】
また、｜ｆ２  ｜／ｆ３  の値が（２）式に示す値（１．５）を超えて大きくなる場合、温度降下とともに像面距離が減少し、温度が−１０℃まで降下すると、像面距離の移動量が負の許容値を下回ることによって像面距離が小さくなり過ぎてしまい、ピントずれによる画像品質の低下が起こる。また、歪曲収差が大きくなって画像性能が劣化することとなる。
【００４２】
従って、本実施形態においては、ｆ／ｆ１  の値が（１）の条件式を満足するようにするとともに、｜ｆ２  ｜／ｆ３  の値が（２）の条件式を満足するようにすることによって、レンズを使用する環境の温度変化にも関わらず像面距離の移動量を許容限度内に抑えることができ、その結果として、歪曲収差を適正に補正してさらに良好な光学性能を維持しつつ、レンズ系の全長をさらに有効に短縮化することが可能となる。
【００４３】
本実施形態においては、更に、次の（３）〜（５）に示す各条件式を満足するようにする。
【００４４】
ν１  ＞５０      （３）
ν２  ＜４０      （４）
ν３  ＞５０      （５）
但し、（３）式におけるν１  は、第１レンズ２のアッベ数であり、（４）式におけるν２  は、第２レンズ３のアッベ数であり、（５）式におけるν３  は、第３レンズ４のアッベ数である。
【００４５】
これにより、色収差をさらに良好に補正して高い光学性能をより適正に維持することが可能となる。
【００４６】
【実施例】
次に、本発明の実施例について、図２乃至図１５を参照して説明する。
【００４７】
ここで、本実施例において、ＦＮＯは、Ｆナンバー、ωは、半画角、ｒは、中心曲率半径を示す。また、ｄは、次の光学面までの距離を示す。また、ｎｅは、ｅ線（緑色）に対する屈折率、νｄは、アッベ数（ｄ線基準）を示す。さらに、ダミー面とは、撮像レンズ１の最も物体側の面（図２乃至図１５において鏡筒１０の物体側の端面）をいう。
【００４８】
ｋ、Ａ、Ｂは、次の（６）式における各係数を示す。すなわち、レンズの非球面の形状は、光軸９方向にＺ軸、光軸９に直交する方向にＸ軸をとり、物体側から像面側へ向かう方向を正とし、ｋを円錐係数、Ａ、Ｂを非球面係数、ｒを中心曲率半径としたとき次式で表される。
【００４９】
2005024823.tif 000003
【００５０】
なお、本明細書中の非球面係数を示す数値の表示において、例えばｅ−０１の表示は、１０の−１乗を示すものである。
【００５１】
＜実施例１＞
図２は、本発明の第１の実施例を示したものであり、本実施例においては、第１レンズ２が低融点モールドガラスによって、第２レンズ３がポリカーボネートによって、第３レンズ４が非晶質ポリオレフィン樹脂によって形成されている。
【００５２】
また、本実施例においては、絞り８を第１レンズ２の第１面２ａ側に配置している。
【００５３】
さらに、本実施例の撮像レンズ１は、以下の条件に設定されている。
【００５４】
レンズの焦点距離（室温２５℃下）は、図３に示す通りである。
【００５５】
ＦＮＯ＝２．８０、２ω＝５７°
2005024823.tif 000004
2005024823.tif 000005
【００５６】
このような条件の下で、ｆ／ｆ１＝１．０３となり、（１）の条件式を、満足するものであった。また、｜ｆ２  ｜／ｆ３  ＝１．１６となり、（２）の条件式を満足するものであった。さらに、ν１  ＝６２．５、ν２  ＝３０、ν３  ＝５６．２となり、（３）〜（５）の条件式を満足するものであった。
【００５７】
この実施例１の撮像レンズ１における球面収差、非点収差、歪曲収差を図４に、温度変化にともなう像面距離の移動を図５に示す。
【００５８】
この結果によれば、球面収差、歪曲収差および非点収差のいずれも満足できる結果となり、充分な光学性能を得ることができることが分かる。
【００５９】
また、像面距離の移動を許容値（１０μｍ）内に納めることができることが分かる。
【００６０】
＜実施例２＞
図６は、本発明の第２の実施例を示したものであり、本実施例においては、実施例１と同様に、第１レンズ２が低融点モールドガラスによって、第２レンズ３がポリカーボネートによって、第３レンズ４が非晶質ポリオレフィン樹脂によって形成されている。
【００６１】
また、本実施例においては、実施例１と同様に、絞り８を第１レンズ２の第１面２ａ側に配置している。
【００６２】
さらに、本実施例の撮像レンズ１は、以下の条件に設定されている。
【００６３】
レンズの焦点距離（室温２５℃下）は、図３に示す通りである。
【００６４】
ＦＮＯ＝２．８０、２ω＝５５．２°
2005024823.tif 000006
2005024823.tif 000007
【００６５】
このような条件の下で、ｆ／ｆ１＝１．２５となり、（１）の条件式を満足するものであった。また、｜ｆ２  ｜／ｆ３  ＝０．８１となり、（２）の条件式を満足するものであった。さらに、ν１  ＝６２．５、ν２  ＝３０、ν３  ＝５６．２となり、（３）〜（５）の条件式を満足するものであった。
【００６６】
この実施例２の撮像レンズにおける球面収差、非点収差、歪曲収差を図７に、温度変化にともなう像面距離の移動を図５に示す。
【００６７】
この結果によれば、球面収差、非点収差および歪曲収差のいずれも満足できる結果となり、充分な光学性能を得ることができることが分かる。
【００６８】
また、像面距離の移動を許容値（１０μｍ）内に納めることができることが分かる。
【００６９】
＜実施例３＞
図８は、本発明の第３の実施例を示したものであり、本実施例においては、実施例１と同様に、第１レンズ２が低融点モールドガラスによって、第２レンズ３がポリカーボネートによって、第３レンズ４が非晶質ポリオレフィン樹脂によって形成されている。
【００７０】
また、本実施例においては、実施例１と同様に、絞り８を第１レンズ２の第１面２ａ側に配置している。
【００７１】
さらに、本実施例の撮像レンズ１は、以下の条件に設定されている。
【００７２】
レンズの焦点距離（室温２５℃下）は、図３に示す通りである。
【００７３】
ＦＮＯ＝２．８０、２ω＝５８．６°
2005024823.tif 000008
2005024823.tif 000009
【００７４】
このような条件の下で、ｆ／ｆ１＝０．８８となり、（１）の条件式を満足するものであった。また、｜ｆ２  ｜／ｆ３  ＝１．４２となり、（２）の条件式を満足するものであった。さらに、ν１  ＝６２．５、ν２  ＝３０、ν３  ＝５６．２となり、（３）〜（５）の条件式を満足するものであった。
【００７５】
この実施例３の撮像レンズ１における球面収差、、非点収差、歪曲収差を図９に、温度変化にともなう像面距離の移動を図５に示す。
【００７６】
この結果によれば、球面収差、非点収差および歪曲収差のいずれも満足できる結果となり、充分な光学性能を得ることができることが分かる。
【００７７】
また、像面距離の移動を許容値（１０μｍ）内に納めることができることが分かる。
【００７８】
＜実施例４＞
図１０は、本発明の第４の実施例を示したものであり、本実施例においては、実施例１と同様に、第１レンズ２が低融点モールドガラスによって、第２レンズ３がポリカーボネートによって、第３レンズ４が非晶質ポリオレフィン樹脂によって形成されている。
【００７９】
また、本実施例においては、実施例１と異なり、絞り８を第１レンズ２と第２レンズ３との間に配置している。
【００８０】
さらに、本実施例の撮像レンズ１は、以下の条件に設定されている。
【００８１】
レンズの焦点距離（室温２５℃下）は、図３に示す通りである。
【００８２】
ＦＮＯ＝２．８０、２ω＝５６．２°
2005024823.tif 000010
2005024823.tif 000011
【００８３】
このような条件の下で、ｆ／ｆ１＝１．０３となり、（１）の条件式を満足するものであった。また、｜ｆ２  ｜／ｆ３  ＝１．０１となり、（２）の条件式を満足するものであった。さらに、ν１  ＝６２．５、ν２  ＝３０、ν３  ＝５６．２となり、（３）〜（５）の条件式を満足するものであった。
【００８４】
この実施例４の撮像レンズにおける球面収差、非点収差および歪曲収差を図１１に、温度変化にともなう像面距離の移動を図５に示す。
【００８５】
この結果によれば、球面収差、非点収差および歪曲収差のいずれも満足できる結果となり、充分な光学性能を得ることができることが分かる。
【００８６】
また、像面距離の移動を許容値（１０μｍ）内に納めることができることが分かる。
【００８７】
＜実施例５＞
図１２は、本発明の第５の実施例を示したものであり、本実施例においては、実施例１と同様に、第１レンズ２が低融点モールドガラスによって、第２レンズ３がポリカーボネートによって、第３レンズ４が非晶質ポリオレフィン樹脂によって形成されている。
【００８８】
また、本実施例においては、実施例４と同様に、絞り８を第１レンズ２と第２レンズ３との間に配置している。
【００８９】
さらに、本実施例の撮像レンズ１は、以下の条件に設定されている。
【００９０】
レンズの焦点距離（室温２５℃下）は、図３に示す通りである。
【００９１】
ＦＮＯ＝２．８０、２ω＝５６．２°
2005024823.tif 000012
2005024823.tif 000013
【００９２】
このような条件の下で、ｆ／ｆ１＝１．０９となり、（１）の条件式を満足するものであった。また、｜ｆ２  ｜／ｆ３  ＝０．８９となり、（２）の条件式を満足するものであった。さらに、ν１  ＝６２．５、ν２  ＝３０、ν３  ＝５６．２となり、（３）〜（５）の条件式を満足するものであった。
【００９３】
この実施例５の撮像レンズにおける球面収差、非点収差および歪曲収差を図１３に、温度変化にともなう像面距離の移動を図５に示す。
【００９４】
この結果によれば、球面収差、非点収差および歪曲収差のいずれも満足できる結果となり、充分な光学性能を得ることができることが分かる。
【００９５】
また、像面距離の移動を許容値（１０μｍ）内に納めることができることが分かる。
【００９６】
＜実施例６＞
図１４は、本発明の第６の実施例を示したものであり、本実施例においては、実施例１と同様に、第１レンズ２が低融点モールドガラスによって、第２レンズ３がポリカーボネートによって、第３レンズ４が非晶質ポリオレフィン樹脂によって形成されている。
【００９７】
また、本実施例においては、実施例４と同様に、絞り８を第１レンズ２と第２レンズ３との間に配置している。
【００９８】
さらに、本実施例の撮像レンズ１は、以下の条件に設定されている。
【００９９】
レンズの焦点距離（室温２５℃下）は、図３に示す通りである。
【０１００】
ＦＮＯ＝２．８０、２ω＝５７．０°
2005024823.tif 000014
2005024823.tif 000015
【０１０１】
このような条件の下で、ｆ／ｆ１＝０．８９となり、（１）の条件式を満足するものであった。また、｜ｆ２  ｜／ｆ３  ＝１．２９となり、（２）の条件式を満足するものであった。さらに、ν１  ＝６２．５、ν２  ＝３０、ν３  ＝５６．２となり、（３）〜（５）の条件式を満足するものであった。
【０１０２】
この実施例６の撮像レンズ１における球面収差、非点収差および歪曲収差を図１５に、温度変化にともなう像面距離の移動を図５に示す。
【０１０３】
この結果によれば、球面収差、非点収差および歪曲収差のいずれも満足できる結果となり、充分な光学性能を得ることができることが分かる。
【０１０４】
また、像面距離の移動を許容値（１０μｍ）内に納めることができることが分かる。
【０１０５】
なお、本発明は前記実施形態のものに限定されるものではなく、必要に応じて種々変更することが可能である。
【０１０６】
【発明の効果】
以上述べたように、本発明の請求項１に係る撮像レンズによれば、高い光学性能を維持しつつレンズ系の全長を短くして小型軽量化を有効に図ることができるとともに、環境温度が変化しても高い光学性能を適正に維持することができる撮像レンズを、簡易な構成によって安価に実現することができる。
【０１０７】
請求項２に係る撮像レンズによれば、請求項１に係る撮像レンズの効果に加えて、さらに、高い光学性能をより適正に維持することができるとともに、像面距離を抑えてレンズ系の全長を更に有効に短縮化することができる撮像レンズを実現することができる。
【０１０８】
請求項３に係る撮像レンズによれば、請求項１または請求項２に係る撮像レンズの効果に加えて、さらに色収差がより良好に補正された光学性能に優れた小型軽量の撮像レンズを実現することができる。
【図面の簡単な説明】
【図１】本発明に係る撮像レンズの実施形態を示す概略構成図
【図２】本発明に係る撮像レンズの第１実施例を示す概略構成図
【図３】本発明に係る撮像レンズの第１〜第６実施例におけるレンズ系全体及び各レンズ毎の焦点距離（室温２５℃下）を示す表
【図４】図２の撮像レンズの球面収差、非点収差、歪曲収差を示す説明図
【図５】本発明に係る撮像レンズの第１〜第６実施例における温度変化にともなう像面距離の移動の態様を示す表
【図６】本発明に係る撮像レンズの第２実施例を示す概略構成図
【図７】図６の撮像レンズの球面収差、非点収差、歪曲収差を示す説明図
【図８】本発明に係る撮像レンズの第３実施例を示す概略構成図
【図９】図８の撮像レンズの球面収差、非点収差、歪曲収差を示す説明図
【図１０】本発明に係る撮像レンズの第４実施例を示す概略構成図
【図１１】図１０の撮像レンズの球面収差、非点収差、歪曲収差を示す説明図
【図１２】本発明に係る撮像レンズの第５実施例を示す概略構成図
【図１３】図１２の撮像レンズの球面収差、非点収差、歪曲収差を示す説明図
【図１４】本発明に係る撮像レンズの第６実施例を示す概略構成図
【図１５】図１４の撮像レンズの球面収差、非点収差、歪曲収差を示す説明図
【符号の説明】
１  撮像レンズ
２  第１レンズ
３  第２レンズ
４  第３レンズ
６  撮像面
８  絞り
【図１】
2005024823.tif 000016
【図２】
2005024823.tif 000017
【図３】
2005024823.tif 000018
【図４】
2005024823.tif 000019
【図５】
2005024823.tif 000020
【図６】
2005024823.tif 000021
【図７】
2005024823.tif 000022
【図８】
2005024823.tif 000023
【図９】
2005024823.tif 000024
【図１０】
2005024823.tif 000025
【図１１】
2005024823.tif 000026
【図１２】
2005024823.tif 000027
【図１３】
2005024823.tif 000028
【図１４】
2005024823.tif 000029
【図１５】
2005024823.tif 000030